(57)【要約】      （修正有）【課題】２つの止め部によって止めることができるスライダー組立構造体及びその摺動部材を提供する。【解決手段】スライダー組立構造体Ｚは、摺動部材１、弾性部材２、及び引手３を備える。摺動部材１は、第１の摺動部１１と、第１の摺動部１１に配置される２つの鋲着部１４と、２つの鋲着部１４にそれぞれ近接して位置する２つの止め部１５と、を含む。弾性部材２は、摺動部材１に配置される。引手３は、第１の摺動部１１に可動的に配置される枢着部３１と、枢着部３１に両端部にそれぞれ連接される２つの当接部３２と、を含む。それにより、引手３が摺動部材１に対して、実質的に第１の摺動部１１と垂直となる位置に移動した場合、引手３の２つの当接部３２は、それぞれ２つの止め部１５に当接するようになり、それにより、引手３は、２つの止め部１５によって止められることになる。【選択図】図１
0003229762.tif 000002
【実用新案登録請求の範囲】
【請求項１】
摺動部材、弾性部材及び引手を備えるスライダー組立構造体であって、
前記摺動部材は、第１の摺動部と、前記第１の摺動部に対応する第２の摺動部と、前記第１の摺動部と前記第２の摺動部とを連接する連接部と、前記第１の摺動部に配置される２つの鋲着部と、２つの前記鋲着部にそれぞれ近接して位置する２つの止め部と、を含み、
前記弾性部材は、前記摺動部材に配置され、前記弾性部材は、前記連接部で係着された係着部と、前記第１の摺動部に可動的に穿通した可動部と、前記係着部と前記可動部とを連接する弾性部と、を含み、
前記引手は、前記第１の摺動部に可動的に配置される枢着部と、前記枢着部の両端にそれぞれ連接される２つの当接部とを含み、前記枢着部は、２つの前記鋲着部とそれぞれ対応的に枢着した２つの枢着部分と、２つの前記枢着部分同士を連接する当接部分と、を含むことを特徴とする、スライダー組立構造体。
【請求項２】
前記第１の摺動部は、張り出された第１の端部と、前記第１の端部とは他端となる第２の端部とを含み、前記第２の摺動部は、張り出された第１の端部と、前記第１の端部とは他端となる第２の端部とを含み、前記第１の摺動部の前記第１の端部は、前記第２の摺動部の前記第１の端部に対応し、かつ、前記連接部は、前記第１の摺動部の前記第２の端部と前記第２の摺動部の前記第２の端部とを連接し、
前記第１の摺動部は、貫通孔を含み、前記弾性部材の前記可動部は、前記第１の摺動部の前記貫通孔に可動的に穿通し、かつ、２つの前記鋲着部はそれぞれ、前記貫通孔の両側方に配置され、
前記当接部分は、２つの前記枢着部分の間に形成された凹領域と、前記凹領域から外向きに延在する当接領域とを含み、
一方の前記鋲着部は、前記第１の摺動部に互いに対応的に配置される２つの第１の彎曲延在部を含み、２つの前記第１の彎曲延在部が、前記枢着部の一方の前記枢着部分を被覆することにより、前記引手は、前記摺動部材から脱落しないように制限され、他方の前記鋲着部は、前記第１の摺動部に互いに対応的に配置される２つの第２の彎曲延在部を含み、かつ、２つの前記第２の彎曲延在部が、前記枢着部における他方の前記枢着部分を被覆することにより、前記引手は、前記摺動部材から脱落しないように制限され、
前記引手が前記摺動部材に対して移動せずに、実質的に前記第１の摺動部に平らに置かれた場合、前記弾性部材の前記弾性部は、下向きに前記当接部分の前記凹領域に当接し、前記引手が前記摺動部材に対して、実質的に前記第１の摺動部と垂直となるように移動された場合、前記当接部分の前記当接領域は上向きに前記弾性部材の前記弾性部に当接する、請求項１に記載のスライダー組立構造体。
【請求項３】
一方の前記鋲着部は、前記第１の摺動部に互いに対応的に配置される２つの第１の彎曲延在部を含み、他方の前記鋲着部は、前記第１の摺動部に互いに対応的に配置される２つの第２の彎曲延在部を含み、
一方の前記止め部は、前記第１の彎曲延在部の１つに連接し、他方の前記止め部は、前記第２の彎曲延在部の１つに連接し
前記止め部における下端の幅は、前記第１の彎曲延在部における下端の幅と、前記第２の彎曲延在部における下端の幅とのいずれよりも小さく、かつ、前記止め部の高さは、前記第１の彎曲延在部の高さと、前記第２の彎曲延在部の高さとのいずれよりも小さく、
前記止め部は、内側曲面と、前記内側曲面の反対面となる外側曲面とを含み、前記第１の彎曲延在部は、第１の内側曲面と、前記第１の内側曲面の反対面となる第１の外側曲面と含み、前記第２の彎曲延在部は、第２の内側曲面と、前記第２の内側曲面の反対面となる第２の外側曲面とを含み、
一方の前記止め部の前記内側曲面と前記第１の彎曲延在部の１つにおける前記第１の内側曲面との輪郭が、類似していると共に一部が揃えており、かつ、他方の前記止め部の前記内側曲面と前記第２の彎曲延在部の１つにおける前記第２の内側曲面との輪郭が、類似していると共に一部が揃えており、一方の前記止め部の前記外側曲面と前記第１の彎曲延在部の１つにおける前記第１の外側曲面との輪郭が、類似していると共に一部が揃えており、他方の前記止め部の前記外側曲面と前記第２の彎曲延在部の１つにおける前記第２の外側曲面との輪郭が、類似していると共に一部が揃っている、請求項１に記載のスライダー組立構造体。
【請求項４】
一方の前記鋲着部は、前記第１の摺動部に互いに対応的に配置される２つの第１の彎曲延在部を含み、他方の前記鋲着部は、互いに対応的に前記第１の摺動部に配置される２つの第２の彎曲延在部を含み、
一方の前記止め部と、前記第１の彎曲延在部の１つとが互いに近接する位置に接触しないように配置され、他方の前記止め部と、前記第２の彎曲延在部の１つとが互いに近接する位置に接触しないように配置され、
前記止め部における下端の幅は、前記第１の彎曲延在部における下端の幅と、前記第２の彎曲延在部における下端の幅とのいずれよりも小さく、かつ、前記止め部の高さは、前記第１の彎曲延在部の高さと前記第２の彎曲延在部の高さとのいずれよりも小さく、
前記止め部は、内側曲面と、前記内側曲面の反対面となる外側曲面とを含み、前記第１の彎曲延在部は、第１の内側曲面と、前記第１の内側曲面の反対面となる第１の外側曲面とを含み、かつ、前記第２の彎曲延在部は、第２の内側曲面と、前記第２の内側曲面の反対面となる第２の外側曲面とを含み、
一方の前記止め部の前記内側曲面と前記第１の彎曲延在部の１つにおける前記第１の内側曲面との輪郭が、類似していると共に一部が揃えており、他方の前記止め部の前記内側曲面と、前記第２の彎曲延在部の１つにおける前記第２の内側曲面との輪郭が、類似していると共に一部が揃えており、一方の前記止め部の前記外側曲面と前記第１の彎曲延在部の１つにおける前記第１の外側曲面との輪郭が、類似していると共に一部が揃えており、他方の前記止め部の前記外側曲面と前記第２の彎曲延在部の１つにおける前記第２の外側曲面との輪郭が、類似していると共に一部が揃っている、請求項１に記載のスライダー組立構造体。
【請求項５】
第１の摺動部と、前記第１の摺動部に配置される２つの鋲着部と、２つの前記鋲着部にそれぞれ近接して位置する２つの止め部とを含む摺動部材と、
前記摺動部材に配置される弾性部材と、
前記第１の摺動部に可動的に配置される枢着部と、前記枢着部の両端にそれぞれ連接する２つの当接部とを含む引手と、を含むことを特徴とする、スライダー組立構造体。
【請求項６】
一方の前記鋲着部は、前記第１の摺動部に互いに対応的に配置される２つの第１の彎曲延在部を含み、他方の前記鋲着部は、前記第１の摺動部に互いに対応的に配置される２つの第２の彎曲延在部を含み、
一方の前記止め部は、前記第１の彎曲延在部の１つに連接し、他方の前記止め部は、前記第２の彎曲延在部の１つに連接し
前記止め部における下端の幅は、前記第１の彎曲延在部における下端の幅と、前記第２の彎曲延在部における下端の幅とのいずれよりも小さく、かつ、前記止め部の高さは、前記第１の彎曲延在部の高さと、前記第２の彎曲延在部の高さとのいずれよりも小さく、
前記止め部は、内側曲面と、前記内側曲面の反対面となる外側曲面とを含み、前記第１の彎曲延在部は、第１の内側曲面と、前記第１の内側曲面の反対面となる第１の外側曲面と含み、前記第２の彎曲延在部は、第２の内側曲面と、前記第２の内側曲面の反対面となる第２の外側曲面とを含み、
一方の前記止め部の前記内側曲面と前記第１の彎曲延在部の１つにおける前記第１の内側曲面との輪郭が、類似していると共に一部が揃えており、かつ、他方の前記止め部の前記内側曲面と前記第２の彎曲延在部の１つにおける前記第２の内側曲面との輪郭が、類似していると共に一部が揃えており、一方の前記止め部の前記外側曲面と前記第１の彎曲延在部の１つにおける前記第１の外側曲面との輪郭が、類似していると共に一部が揃えており、他方の前記止め部の前記外側曲面と前記第２の彎曲延在部の１つにおける前記第２の外側曲面との輪郭が、類似していると共に一部が揃っている、請求項５に記載のスライダー組立構造体。
【請求項７】
一方の前記鋲着部は一方の前記鋲着部は、前記第１の摺動部に互いに対応的に配置される２つの第１の彎曲延在部を含み、他方の前記鋲着部は、互いに対応的に前記第１の摺動部に配置される２つの第２の彎曲延在部を含み、
一方の前記止め部と、前記第１の彎曲延在部の１つとが互いに近接する位置に接触しないように配置され、他方の前記止め部と、前記第２の彎曲延在部の１つとが互いに近接する位置に接触しないように配置され、
前記止め部における下端の幅は、前記第１の彎曲延在部における下端の幅と、前記第２の彎曲延在部における下端の幅とのいずれよりも小さく、かつ、前記止め部の高さは、前記第１の彎曲延在部の高さと前記第２の彎曲延在部の高さとのいずれよりも小さく、
前記止め部は、内側曲面と、前記内側曲面の反対面となる外側曲面とを含み、前記第１の彎曲延在部は、第１の内側曲面と、前記第１の内側曲面の反対面となる第１の外側曲面とを含み、かつ、前記第２の彎曲延在部は、第２の内側曲面と、前記第２の内側曲面の反対面となる第２の外側曲面とを含み、
一方の前記止め部の前記内側曲面と前記第１の彎曲延在部の１つにおける前記第１の内側曲面との輪郭が、類似していると共に一部が揃えており、他方の前記止め部の前記内側曲面と前記第２の彎曲延在部の１つにおける前記第２の内側曲面との輪郭が、類似していると共に一部が揃えており、一方の前記止め部の前記外側曲面と、前記第１の彎曲延在部の１つにおける前記第１の外側曲面との輪郭が、類似していると共に一部が揃えており、他方の前記止め部の前記外側曲面と前記第２の彎曲延在部の１つにおける前記第２の外側曲面との輪郭が、類似していると共に一部が揃っている、請求項５に記載のスライダー組立構造体。
【請求項８】
第１の摺動部と、
前記第１の摺動部に対応する第２の摺動部と、
前記第１の摺動部と前記第２の摺動部とを連接する連接部と、
前記第１の摺動部に配置される２つの鋲着部と、
２つの前記鋲着部にそれぞれ近接して位置する２つの止め部と、
を備える、スライダー組立構造体に適用することを特徴とする、摺動部材。
【請求項９】
前記鋲着部は、前記第１の摺動部に互いに対応的に配置される２つの第１の彎曲延在部を含み、他方の前記鋲着部は、前記第１の摺動部に互いに対応的に配置される２つの第２の彎曲延在部を含み、前記止め部は、前記第１の彎曲延在部の１つに連接し、他方の前記止め部は、前記第２の彎曲延在部の１つに連接する、請求項８に記載の摺動部材。
【請求項１０】
一方の前記鋲着部は、前記第１の摺動部に互いに対応的に配置される２つの第１の彎曲延在部を含み、他方の前記鋲着部は、前記第１の摺動部に互いに対応的に配置される２つの第２の彎曲延在部を含み、一方の前記止め部と前記第１の彎曲延在部の１つとは互いに近接する位置に接触しないように配置され、他方の前記止め部と、前記第２の彎曲延在部の１つが互いに近接する位置に接触しないように配置される、請求項８に記載の摺動部材。
【考案の詳細な説明】
【技術分野】
【０００１】
本考案は、組立構造体及びその摺動部材に関わり、特にスライダー組立構造体及びその摺動部材に関する。
【背景技術】
【０００２】
一般的に、服装の基本的な引き込み要素は、ボタンやジッパーの使用に過ぎない。ボタンと比べて、ジッパーはより容易に使えより強固の構造に構成されている。ジッパーはスライダー及びファスナーが備えられる。スライダーは主にファスナーと合わせてエレメント同士を噛み合い又は離せるように往復して引くために使われている。ジッパーは服装又はアクセサリーに広く使われている。
【考案の概要】
【考案が解決しようとする課題】
【０００３】
本考案が解決しようとする課題としては、従来の技術の不足に対し、スライダー組立構造体及びその摺動部材提供することである。
【課題を解決するための手段】
【０００４】
上記の課題を解決するために、本考案が採用する１つの技術手段としては、下記スライダー組立構造体を提供することである。スライダー組立構造体は、摺動部材、弾性部材及び引手を備える。前記摺動部材は、第１の摺動部と、前記第１の摺動部に対応する第２の摺動部と、前記第１の摺動部と前記第２の摺動部との間に連接された連接部と、前記第１の摺動部に連接される２つの鋲着部と、２つの前記鋲着部にそれぞれ近接して位置する２つの止め部と、を含む。前記弾性部材は、前記摺動部材に配置される。前記弾性部材は、前記連接部で係着される係着部と、前記第１の摺動部に可動的に穿通する可動部と、前記係着部と前記可動部とを連接する弾性部と、を含む。前記引手は、前記第１の摺動部に可動的に配置される枢着部と、前記枢着部の両端にそれぞれ連接する２つの当接部とを含む。前記枢着部は、２つの前記鋲着部とそれぞれ対応的に枢着される２つの枢着部分と、２つの前記枢着部分同士を連接する当接部分とを含む。なかでも、前記引手が前記摺動部材に対して移動せずに、実質的に前記第１の摺動部に平らに置かれた場合、前記弾性部材の前記弾性部が下向きに前記引手における前記枢着部の前記当接部分に当接される。なかでも、前記引手が前記摺動部材に対して、実質的に前記第１の摺動部に垂直となるように移動された場合、前記引手における前記枢着部の前記当接部分は、上向きに前記弾性部材の前記弾性部に当接するようになり、かつ、前記引手の２つの前記当接部は、それぞれ２つの前記止め部に当接することとなり、それにより、前記引手は２つの前記止め部で止められる。
【０００５】
上記の課題を解決するために、本考案が採用する他の技術手段としては、下記スライダー組立構造体を提供することである。スライダー組立構造体は、摺動部材、弾性部材及び引手を備える。前記摺動部材は、第１の摺動部と、前記第１の摺動部に配置される２つの鋲着部と、２つの前記鋲着部にそれぞれ近接して位置する２つの止め部とを含む。前記弾性部材は、前記摺動部材に配置される。前記引手は、前記第１の摺動部に可動的に配置される枢着部と、前記枢着部の両端にそれぞれ連接される２つの当接部とを含む。なかでも、前記引手が前記摺動部材に対して、実質的に前記第１の摺動部と垂直となる位置に移動された場合、前記引手における２つの前記当接部は２つの前記止め部にそれぞれ当接し、それにより、前記引手は２つの前記止め部で止められるようになる。
【０００６】
上記の課題を解決するために、本考案が採用するさらに他の技術手段としては、下記摺動部材を提供することである。その摺動部材は、スライダー組立構造体に適用されるものである。前記摺動部材は、第１の摺動部、第２の摺動部、連接部、２つの鋲着部及び２つの止め部を含む。前記第２の摺動部は前記第１の摺動部に対応的に配置される。前記連接部は、前記第１の摺動部と前記第２の摺動部とを連接する。２つの前記鋲着部は、前記第１の摺動部に配置される。２つの前記止め部は、２つの前記鋲着部にそれぞれ近接するように位置する。なかでも、引手が前記摺動部材に対して、実質的に前記第１の摺動部と垂直となるように移動された時、前記引手の２つの当接部はそれぞれ２つの前記止め部に当接し、それにより、前記引手は２つの前記止め部で止められるようになる。
【考案の効果】
【０００７】
本考案による有益な効果の１つでは、本考案が提供するスライダー組立構造体は、「前記摺動部材は、第１の摺動部と、前記第１の摺動部に配置される２つの鋲着部と、２つの前記鋲着部にそれぞれ近接して位置する２つの止め部とを含む」、及び「前記引手は、前記第１の摺動部に可動的に配置される枢着部と、前記枢着部の両端にそれぞれ接続される２つの当接部とを含む」といった技術手段により、前記引手が前記摺動部材に対して、実質的に前記第１の摺動部と垂直となるように移動された場合、前記引手の２つの前記当接部はそれぞれ２つの前記止め部に当接し、それにより、前記引手は、２つの前記止め部で止められるようになる。
【０００８】
本考案による別の有益な効果では、本考案が提供する摺動部材では、「２つの前記鋲着部が前記第１の摺動部に配置される」及び「２つの前記止め部は、それぞれ２つの前記鋲着部に近接して位置する」といった技術手段により、引手が前記摺動部材に対して、実質的に前記第１の摺動部と垂直となるように移動された場合、前記引手の２つの当接部は、それぞれ２つの前記止め部に当接し、それにより、前記引手は２つの前記止め部で止められるようになる。
【図面の簡単な説明】
【０００９】
【図１】本考案に係る第１の実施形態のスライダー組立構造体を示す分解模式図（鋲着部が未だ鋲着されていない）である。
【図２】本考案に係る第１の実施形態のスライダー組立構造体を示す組立図（鋲着部が鋲着されている状況）である。
【図３】本考案に係る第１の実施形態のスライダー組立構造体を示す他の分解模式図（鋲着部が未だ鋲着されていない）である。
【図４】本考案に係る第１の実施形態のスライダー組立構造体を示す他の組立図（鋲着部が鋲着されている）である。
【図５】本考案に係る第１の実施形態の摺動部材の平面模式図（鋲着部が未だ鋲着されていない）である。
【図６】本考案に係る第１の実施形態のスライダー組立構造体を示す側面模式図である。
【図７】本考案に係る第１の実施形態のスライダー組立構造体を示す他の側面模式図である。
【図８】本考案に係る第１の実施形態において、スライダー組立構造体の引手が摺動部材１に対して移動せずに、実質的に第１の摺動部に置かれた場合の一部を示す（図２のＶＩＩＩ−ＶＩＩＩ断面を示す）断面模式図である。
【図９】本考案に係る第１の実施形態において、スライダー組立構造体の引手が摺動部材に対して、実質的に第１の摺動部と垂直となるように移動された場合の一部を示す断面模式図である。
【図１０】本考案に係る第１の実施形態において、スライダー組立構造体の引手が摺動部材に対して、実質的に第１の摺動部と垂直となるように移動された場合の一部を示す断面模式図である。
【図１１】本考案に係る第２の実施形態の摺動部材を示す平面模式図（鋲着部が未だ鋲着されていない）である。
【考案を実施するための形態】
【００１０】
本考案の特徴及び技術内容がより一層分かるように、以下本考案に関する詳細な説明と添付図面を参照する。しかし、提供される添付図面は参考と説明のために提供するものに過ぎず、本考案の実用新案登録請求の範囲を制限するためのものではない。
【００１１】
下記より、具体的な実施例で本考案が開示する「スライダー組立構造体及びその摺動部材」に係る実施形態を説明する。当業者は本明細書の公開内容により本考案のメリット及び効果を理解し得る。本考案は他の異なる実施形態により実行又は応用できる。本明細書における各細節も様々な観点又は応用に基づいて、本考案の精神を逸脱しない限りに、均等の変形と変更を行うことができる。また、本考案の図面は簡単で模式的に説明するためのものであり、実際的な寸法を示すものではない。以下の実施形態において、さらに本考案に係る技術事項を説明するが、公開された内容は本考案を限定するものではない。
［第１の実施形態］
【００１２】
図１乃至図１０に示すように、本考案に係る第１の実施形態は、スライダー組立構造体Ｚを提供し、それに、摺動部材１、弾性部材２及び引手３が備えられている。
【００１３】
まず、図１乃至図５を参照されたい。摺動部材１（又はスライダー）は、第１の摺動部１１と、第１の摺動部１１に対応する第２の摺動部１２と、第１の摺動部１１と第２の摺動部１２とを連接する連接部１３と、第１の摺動部１１に配置される２つの鋲着部１４と、２つの鋲着部１４にそれぞれ近接して位置する２つの止め部１５と、を含む。例えば、第１の摺動部１１は、張り出された第１の端部１１１と、第１の端部１１１とは他端となる第２の端部１１２と、を含み、かつ、第２の摺動部１２は、張り出された第１の端部１２１と、第１の端部１２１とは他端となる第２の端部１２２とを含む。また、第１の摺動部１１の第１の端部１１１は、第２の摺動部１２の第１の端部１２１に対応し、連接部１３は、第１の摺動部１１の第２の端部１１２と第２の摺動部１２の第２の端部１２２とを連接する。なお、本考案が提供する摺動部材１は、上記の例に制限されない。
【００１４】
また、図１乃至図５に示すように、弾性部材２は、摺動部材１に配置され、かつ、弾性部材２は、連接部１３で係着された係着部２１と、第１の摺動部１１に可動的に配置される可動部２２と、係着部２１と可動部２２とを連接する弾性部２３と、を含む。例えば、第１の摺動部１１は、貫通孔１１０を含み、弾性部材２の可動部２２は、第１の摺動部１１の貫通孔１１０を可動的に穿通し、かつ、２つの鋲着部１４は、貫通孔１１０の両側方にそれぞれ配置される。なお、本考案が提供する弾性部材２は、上記の例に制限されない。
【００１５】
さらに、図１乃至図５を参照されたい。引手３は、第１の摺動部１１に可動的に配置される枢着部３１と、枢着部３１に両端にそれぞれ連接する２つの当接部３２とを含む。かつ、枢着部３１は、２つの鋲着部１４とそれぞれ対応的に枢着する２つの枢着部分３１１と、２つの枢着部分３１１同士を連接する当接部分３１２とを含む。例えば、当接部分３１２は、２つの枢着部分３１１の間に形成される凹領域３１２１と、凹領域３１２１から外向きに延在する当接領域３１２２とを含む。なお、本考案が提供する引手３は、上記の例に制限されない。
【００１６】
さらに、図１、図３及び図６乃至図８を共に参照されたい。引手３が摺動部材１に対して移動せずに、実質的に第１の摺動部１１に平らに置かれた場合、弾性部材２の弾性部２３は、下向きに引手３における枢着部３１の当接部分３１２と当接するようになる。言い換えれば、引手３が摺動部材１に対して移動せずに、実質的に第１の摺動部１１に平らに置かれた場合、弾性部材２の弾性部２３は、下向きに当接部分３１２の凹領域３１２１に当接するようにあり、かつ、弾性部材２の弾性部２３の一部が、当接部分３１２の凹領域３１２１に収容される。また、図９及び図１０に示すように、引手３が摺動部材１に対して、実質的に第１の摺動部１１と垂直となるように移動された場合、即ち、引手３を第１の摺動部１１に対して、水平状から垂直状となるように引き上げた場合、引手３における枢着部３１の当接部分３１２は上向きに弾性部材２の弾性部２３に当接するようになり、そして、引手３の２つの当接部３２はそれぞれ、２つの止め部１５に当接し、それにより、引手３が２つの止め部１５で止められ、さらに進めない状況にある。即ち、引手３が摺動部材１に対して、実質的に第１の摺動部１１と垂直となるように移動された場合、当接部分３１２の当接領域３１２２は、上向きに弾性部材２の弾性部２３に当接して、それにより、可動部２２の端部は、貫通孔１１０内に収容される。
【００１７】
例えば、図１乃至図５に示すように、一方の鋲着部１４は、第１の摺動部１１に互いに対応的に配置される２つの第１の彎曲延在部１４１を含む。２つの第１の彎曲延在部１４１が、枢着部３１における一方の枢着部分３１１の一部を被覆（カバー）することにより、引手３は、摺動部材１から脱落しないように制限される。また、他方の鋲着部１４は、第１の摺動部１１に互いに対応的に配置される２つの第２の彎曲延在部１４２を含む。２つの第２の彎曲延在部１４２が、枢着部３１における他方の枢着部分３１１の一部を被覆（カバー）することにより、引手３は、摺動部材１から脱落しないように制限される。それにより、一方の鋲着部１４における２つの第１の彎曲延在部１４１と、枢着部３１における一方の枢着部分３１１との協働、並びに、他方の鋲着部１４における２つの第２の彎曲延在部１４２と枢着部３１における他方の枢着部分３１１との協働により、引手３は、第１の摺動部１１に枢着される。なお、本考案が提供する鋲着部１４、第１の彎曲延在部１４１及び第２の彎曲延在部１４２の協働は、上記の例に制限されない。
【００１８】
ところで、図１、図３及び図５乃至図７に示すように、一方の止め部１５が第１の彎曲延在部１４１の１つと密着して、他方の止め部１５が第２の彎曲延在部１４２の１つと密着するように構成されてもよい。
【００１９】
例えば、図１乃至図３に示すように、止め部１５は、内側曲面１５０１と、内側曲面１５０１の反対面となる外側曲面１５０２とを含む。第１の彎曲延在部１４１は、第１の内側曲面１４１１と、第１の内側曲面１４１１の反対面となる第１の外側曲面１４１２とを含む。かつ、第２の彎曲延在部１４２は、第２の内側曲面１４２１と、第２の内側曲面１４２１の反対面となる第２の外側曲面１４２２とを含む。また、一方の止め部１５の内側曲面１５０１と第１の彎曲延在部１４１の１つにおける第１の内側曲面１４１１との輪郭が、類似していると共に一部が揃っている。かつ、他方の止め部１５の内側曲面１５０１と第２の彎曲延在部１４２の１つにおける第２の内側曲面１４２１との輪郭が、類似していると共に一部が揃っている。また、一方の止め部１５の外側曲面１５０２の輪郭と、第１の彎曲延在部１４１の１つにおける第１の外側曲面１４１２の輪郭と似ている。かつ、他方の止め部１５の外側曲面１５０２の輪郭と、第２の彎曲延在部１４２の１つにおける第２の外側曲面１４２２の輪郭と似ている。なお、本考案が提供する止め部１５、第１の彎曲延在部１４１及び第２の彎曲延在部１４２の構成関係が、上記の例に制限されない。
【００２０】
例えば、図６及び図７に示すように、止め部１５における下端の幅Ｗが、第１の彎曲延在部１４１における下端の幅Ｗ１と、第２の彎曲延在部１４２における下端の幅Ｗ２とのいずれよりも小さい。かつ、止め部１５の高さＨが第１の彎曲延在部１４１の高さＨ１と、第２の彎曲延在部１４２の高さＨ２との何れかよりも小さい。なお、本考案が提供する止め部１５は、第１の彎曲延在部１４１及び第２の彎曲延在部１４２の構成は、上記の例に制限されない。
［第２の実施形態］
【００２１】
図１１に示すように、本考案に係る第２の実施形態は、スライダー組立構造体（図示しない）及びその摺動部材１を提供する。図１１と図５との比較によれば、本考案に係る第２の実施形態と第１の実施形態との最大の差異点では、第２の実施形態において、一方の止め部１５と第１の彎曲延在部１４１の１つとは、互いに近接する位置に接触しないように配置され、かつ、他方の止め部１５と第２の彎曲延在部１４２の１つとも、互いに近接する位置に接触しないように配置されることが看取できる。即ち、一方の止め部１５は、第１の彎曲延在部１４１と密着して配置されるか（例えば、図５に示した第１の実施形態）、または第２の彎曲延在部１４２の１つと互いに近接する位置に接触しないように配置される（図１１に示した第２の実施形態）。かつ、他方の止め部１５は、第２の彎曲延在部１４２と密着して配置されるか（例えば、図５に示した第１の実施形態）、または第２の彎曲延在部１４２の１つの互いに近接する位置に接触しないように配置される（図１１に示した第２の実施形態）。
［実施形態による有益な効果］
【００２２】
本考案による有益な効果の１つでは、本考案が提供するスライダー組立構造体Ｚは、「前記摺動部材１は、第１の摺動部１１と、前記第１の摺動部１１に配置される２つの鋲着部１４と、２つの前記鋲着部１４にそれぞれ近接して位置する２つの止め部１５とを含む」、及び「前記引手３は、前記第１の摺動部１１に可動的に配置される枢着部３１と、前記枢着部３１の両端にそれぞれ接続される２つの当接部３２とを含む」といった技術手段により、前記引手３が前記摺動部材１に対して、実質的に前記第１の摺動部１１と垂直となるように移動された場合、前記引手３の２つの前記当接部３２はそれぞれ２つの前記止め部１５に当接し、それにより、前記引手３は、２つの前記止め部１５で止められるようになる。
【００２３】
本考案による別の有益な効果では、本考案が提供する摺動部材１では、「２つの前記鋲着部１４が前記第１の摺動部１１に配置される」及び「２つの前記止め部１５は、それぞれ２つの前記鋲着部１４に近接して位置する」といった技術手段により、引手３が前記摺動部材１に対して、実質的に前記第１の摺動部１１と垂直となるように移動された場合、前記引手３の２つの当接部３２は、それぞれ２つの前記止め部１５に当接し、それにより、前記引手３は２つの前記止め部１５で止められるようになる。
【００２４】
以上に開示される内容は本考案の好ましい実施可能な実施例に過ぎず、これにより本考案の実用新案登録請求の範囲を制限するものではないので、本考案の明細書及び添付図面の内容に基づき為された等価の技術変形は、全て本考案の実用新案登録請求の範囲に含まれるものとする。
【符号の説明】
【００２５】
Ｚ：スライダー組立構造体    
１：摺動部材
１１：第１の摺動部
１１０：貫通孔
１１１：第１の端部
１１２：第２の端部
１２：第２の摺動部
１２１：第１の端部
１２２：第２の端部
１３：連接部
１４：鋲着部
１４１：第１の彎曲延在部
１４１１：第１の内側曲面
１４１２：第１の外側曲面
１４２：第２の彎曲延在部
１４２１：第２の内側曲面
１４２２：第２の外側曲面
１５：止め部
１５０１：内側曲面
１５０２：外側曲面
Ｗ，  Ｗ１，  Ｗ２：幅
Ｈ，  Ｈ１，  Ｈ２：高さ
２：弾性部材
２１：係着部
２２：可動部
２３：弾性部
３：引手
３１：枢着部
３１１：枢着部分
３１２：当接部分
３１２１：凹領域
３１２２：当接領域
３２：当接部              
【図１】
0003229762.tif 000003
【図２】
0003229762.tif 000004
【図３】
0003229762.tif 000005
【図４】
0003229762.tif 000006
【図５】
0003229762.tif 000007
【図６】
0003229762.tif 000008
【図７】
0003229762.tif 000009
【図８】
0003229762.tif 000010
【図９】
0003229762.tif 000011
【図１０】
0003229762.tif 000012
【図１１】
0003229762.tif 000013
【手続補正書】
【提出日】令和2年10月1日(2020.10.1)
【手続補正１】
【補正対象書類名】実用新案登録請求の範囲
【補正対象項目名】全文
【補正方法】変更
【補正の内容】
【実用新案登録請求の範囲】
【請求項１】
摺動部材、弾性部材及び引手を備えるスライダー組立構造体であって、
前記摺動部材は、第１の摺動部と、前記第１の摺動部に対応する第２の摺動部と、前記第１の摺動部と前記第２の摺動部とを連接する連接部と、前記第１の摺動部に配置される２つの鋲着部と、２つの前記鋲着部にそれぞれ近接して位置する２つの止め部と、を含み、
前記弾性部材は、前記摺動部材に配置され、前記弾性部材は、前記連接部で係着された係着部と、前記第１の摺動部に可動的に穿通した可動部と、前記係着部と前記可動部とを連接する弾性部とを含み、
前記引手は、前記第１の摺動部に可動的に配置される枢着部と、前記枢着部の両端にそれぞれ連接される２つの当接部とを含み、前記枢着部は、２つの前記鋲着部とそれぞれ対応的に枢着した２つの枢着部分と、２つの前記枢着部分同士を連接する当接部分とを含む、ことを特徴とする、スライダー組立構造体。
【請求項２】
前記第１の摺動部は、張り出された第１の端部と、前記第１の端部とは他端となる第２の端部とを含み、前記第２の摺動部は、張り出された第１の端部と、前記第１の端部とは他端となる第２の端部とを含み、前記第１の摺動部の前記第１の端部は、前記第２の摺動部の前記第１の端部に対応し、かつ、前記連接部は、前記第１の摺動部の前記第２の端部と前記第２の摺動部の前記第２の端部とを連接し、
前記第１の摺動部は、貫通孔を含み、前記弾性部材の前記可動部は、前記第１の摺動部の前記貫通孔に可動的に穿通し、かつ、２つの前記鋲着部はそれぞれ、前記貫通孔の両側方に配置され、
前記当接部分は、２つの前記枢着部分の間に形成された凹領域と、前記凹領域から外向きに延在する当接領域とを含み、
一方の前記鋲着部は、前記第１の摺動部に互いに対応的に配置される２つの第１の彎曲延在部を含み、２つの前記第１の彎曲延在部が、前記枢着部の一方の前記枢着部分を被覆することにより、前記引手は、前記摺動部材から脱落しないように制限され、他方の前記鋲着部は、前記第１の摺動部に互いに対応的に配置される２つの第２の彎曲延在部を含み、かつ、２つの前記第２の彎曲延在部が、前記枢着部における他方の前記枢着部分を被覆することにより、前記引手は、前記摺動部材から脱落しないように制限され、
前記引手が前記摺動部材に対して移動せずに、実質的に前記第１の摺動部に平らに置かれた場合、前記弾性部材の前記弾性部は、下向きに前記当接部分の前記凹領域に当接し、
前記引手が前記摺動部材に対して、実質的に前記第１の摺動部と垂直となるように移動された場合、前記当接部分の前記当接領域は上向きに前記弾性部材の前記弾性部に当接する、請求項１に記載のスライダー組立構造体。
【請求項３】
一方の前記鋲着部は、前記第１の摺動部に互いに対応的に配置される２つの第１の彎曲延在部を含み、他方の前記鋲着部は、前記第１の摺動部に互いに対応的に配置される２つの第２の彎曲延在部を含み、
一方の前記止め部は、前記第１の彎曲延在部の１つに連接し、他方の前記止め部は、前記第２の彎曲延在部の１つに連接し
前記止め部における下端の幅は、前記第１の彎曲延在部における下端の幅と、前記第２の彎曲延在部における下端の幅とのいずれよりも小さく、かつ、前記止め部の高さは、前記第１の彎曲延在部の高さと、前記第２の彎曲延在部の高さとのいずれよりも小さく、
前記止め部は、内側曲面と、前記内側曲面の反対面となる外側曲面とを含み、前記第１の彎曲延在部は、第１の内側曲面と、前記第１の内側曲面の反対面となる第１の外側曲面と含み、前記第２の彎曲延在部は、第２の内側曲面と、前記第２の内側曲面の反対面となる
第２の外側曲面とを含み、
一方の前記止め部の前記内側曲面と前記第１の彎曲延在部の１つにおける前記第１の内側曲面との輪郭が、類似していると共に一部が揃えており、かつ、他方の前記止め部の前記内側曲面と前記第２の彎曲延在部の１つにおける前記第２の内側曲面との輪郭が、類似していると共に一部が揃えており、一方の前記止め部の前記外側曲面と前記第１の彎曲延在部の１つにおける前記第１の外側曲面との輪郭が、類似していると共に一部が揃えており、他方の前記止め部の前記外側曲面と前記第２の彎曲延在部の１つにおける前記第２の外側曲面との輪郭が、類似していると共に一部が揃っている、請求項１に記載のスライダー組立構造体。
【請求項４】
一方の前記鋲着部は、前記第１の摺動部に互いに対応的に配置される２つの第１の彎曲延在部を含み、他方の前記鋲着部は、互いに対応的に前記第１の摺動部に配置される２つの第２の彎曲延在部を含み、
一方の前記止め部と、前記第１の彎曲延在部の１つとが互いに近接する位置に接触しないように配置され、他方の前記止め部と、前記第２の彎曲延在部の１つとが互いに近接する位置に接触しないように配置され、
前記止め部における下端の幅は、前記第１の彎曲延在部における下端の幅と、前記第２の彎曲延在部における下端の幅とのいずれよりも小さく、かつ、前記止め部の高さは、前記第１の彎曲延在部の高さと前記第２の彎曲延在部の高さとのいずれよりも小さく、
前記止め部は、内側曲面と、前記内側曲面の反対面となる外側曲面とを含み、前記第１の彎曲延在部は、第１の内側曲面と、前記第１の内側曲面の反対面となる第１の外側曲面とを含み、かつ、前記第２の彎曲延在部は、第２の内側曲面と、前記第２の内側曲面の反対面となる第２の外側曲面とを含み、
一方の前記止め部の前記内側曲面と前記第１の彎曲延在部の１つにおける前記第１の内側曲面との輪郭が、類似していると共に一部が揃えており、他方の前記止め部の前記内側曲面と、前記第２の彎曲延在部の１つにおける前記第２の内側曲面との輪郭が、類似していると共に一部が揃えており、一方の前記止め部の前記外側曲面と前記第１の彎曲延在部の１つにおける前記第１の外側曲面との輪郭が、類似していると共に一部が揃えており、他方の前記止め部の前記外側曲面と前記第２の彎曲延在部の１つにおける前記第２の外側曲面との輪郭が、類似していると共に一部が揃っている、請求項１に記載のスライダー組立構造体。
【請求項５】
第１の摺動部と、前記第１の摺動部に配置される２つの鋲着部と、２つの前記鋲着部にそれぞれ近接して位置する２つの止め部とを含む摺動部材と、
前記摺動部材に配置される弾性部材と、
前記第１の摺動部に可動的に配置される枢着部と、前記枢着部の両端にそれぞれ連接する２つの当接部とを含む引手と、を含む、ことを特徴とする、スライダー組立構造体。
【請求項６】
一方の前記鋲着部は、前記第１の摺動部に互いに対応的に配置される２つの第１の彎曲延在部を含み、他方の前記鋲着部は、前記第１の摺動部に互いに対応的に配置される２つの第２の彎曲延在部を含み、
一方の前記止め部は、前記第１の彎曲延在部の１つに連接し、他方の前記止め部は、前記第２の彎曲延在部の１つに連接し
前記止め部における下端の幅は、前記第１の彎曲延在部における下端の幅と、前記第２の彎曲延在部における下端の幅とのいずれよりも小さく、かつ、前記止め部の高さは、前記第１の彎曲延在部の高さと、前記第２の彎曲延在部の高さとのいずれよりも、小さく、
前記止め部は、内側曲面と、前記内側曲面の反対面となる外側曲面とを含み、前記第１の彎曲延在部は、第１の内側曲面と、前記第１の内側曲面の反対面となる第１の外側曲面と含み、前記第２の彎曲延在部は、第２の内側曲面と、前記第２の内側曲面の反対面となる第２の外側曲面とを含み、
一方の前記止め部の前記内側曲面と前記第１の彎曲延在部の１つにおける前記第１の内側曲面との輪郭が、類似していると共に一部が揃えており、かつ、他方の前記止め部の前記内側曲面と前記第２の彎曲延在部の１つにおける前記第２の内側曲面との輪郭が、類似していると共に一部が揃えており、一方の前記止め部の前記外側曲面と前記第１の彎曲延在部の１つにおける前記第１の外側曲面との輪郭が、類似していると共に一部が揃えており、他方の前記止め部の前記外側曲面と前記第２の彎曲延在部の１つにおける前記第２の外側曲面との輪郭が、類似していると共に一部が揃っている、請求項５に記載のスライダー組立構造体。
【請求項７】
一方の前記鋲着部は一方の前記鋲着部は、前記第１の摺動部に互いに対応的に配置される２つの第１の彎曲延在部を含み、他方の前記鋲着部は、互いに対応的に前記第１の摺動部に配置される２つの第２の彎曲延在部を含み、
一方の前記止め部と、前記第１の彎曲延在部の１つとが互いに近接する位置に接触しないように配置され、他方の前記止め部と、前記第２の彎曲延在部の１つとが互いに近接する位置に接触しないように配置され、
前記止め部における下端の幅は、前記第１の彎曲延在部における下端の幅と、前記第２の彎曲延在部における下端の幅とのいずれよりも小さく、かつ、前記止め部の高さは、前記第１の彎曲延在部の高さと前記第２の彎曲延在部の高さとのいずれよりも小さく、
前記止め部は、内側曲面と、前記内側曲面の反対面となる外側曲面とを含み、前記第１の彎曲延在部は、第１の内側曲面と、前記第１の内側曲面の反対面となる第１の外側曲面とを含み、かつ、前記第２の彎曲延在部は、第２の内側曲面と、前記第２の内側曲面の反対面となる第２の外側曲面とを含み、
一方の前記止め部の前記内側曲面と前記第１の彎曲延在部の１つにおける前記第１の内側曲面との輪郭が、類似していると共に一部が揃えており、他方の前記止め部の前記内側曲面と前記第２の彎曲延在部の１つにおける前記第２の内側曲面との輪郭が、類似していると共に一部が揃えており、一方の前記止め部の前記外側曲面と、前記第１の彎曲延在部の１つにおける前記第１の外側曲面との輪郭が、類似していると共に一部が揃えており、他方の前記止め部の前記外側曲面と前記第２の彎曲延在部の１つにおける前記第２の外側曲面との輪郭が、類似していると共に一部が揃っている、請求項５に記載のスライダー組立構造体。
【請求項８】
第１の摺動部と、
前記第１の摺動部に対応する第２の摺動部と、
前記第１の摺動部と前記第２の摺動部とを連接する連接部と、
前記第１の摺動部に配置される２つの鋲着部と、
２つの前記鋲着部にそれぞれ近接して位置する２つの止め部と、
を備える、請求項１に記載のスライダー組立構造体に適用することを特徴とする、摺動部材。
【請求項９】
前記鋲着部は、前記第１の摺動部に互いに対応的に配置される２つの第１の彎曲延在部を含み、他方の前記鋲着部は、前記第１の摺動部に互いに対応的に配置される２つの第２の彎曲延在部を含み、前記止め部は、前記第１の彎曲延在部の１つに連接し、他方の前記止め部は、前記第２の彎曲延在部の１つに連接する、請求項８に記載の摺動部材。
【請求項１０】
一方の前記鋲着部は、前記第１の摺動部に互いに対応的に配置される２つの第１の彎曲延在部を含み、他方の前記鋲着部は、前記第１の摺動部に互いに対応的に配置される２つの第２の彎曲延在部を含み、一方の前記止め部と前記第１の彎曲延在部の１つとは互いに近接する位置に接触しないように配置され、他方の前記止め部と、前記第２の彎曲延在部の１つが互いに近接する位置に接触しないように配置される、請求項８に記載の摺動部材。